(57)【特許請求の範囲】
【請求項１】
所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、
前記モータ手段に装着された前記記録ディスクの片面と協働して環状空間を規定するための空間形成部材が設けられ、前記空間形成部材と前記記録ディスクの外周面とは小さい間隙を介して対向し、前記空間形成部材の内周壁部は前記記録ディスクの前記片面の外周部に向けて延びることによって、前記空間形成部材の前記内周壁部と前記記録ディスクとの間に前記環状空間が形成され、前記記録ディスクの前記片面に作用する前記環状空間内の圧力とその他面に作用する圧力との圧力差を利用して前記記録ディスクの振動を抑制することを特徴とする記録ディスク駆動装置。
【請求項２】
前記空間形成部材の前記記録ディスクの外周面と小さい間隙を介して対向する面によって、前記環状空間の径方向外方が規定されることを特徴とする請求項１記載の記録ディスク駆動装置。
【請求項３】
所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、
前記モータ手段に装着された前記記録ディスクの片面と協働して環状空間を規定するための空間形成部材が設けられ、前記空間形成部材の内周壁部は、前記モータ手段に装着された前記記録ディスクの前記片面の外周部に向けて延び、前記空間形成部材には、前記モータ手段に装着された前記記録ディスクの外周面に対応して内周仕切壁部が設けられ、前記空間形成部材の前記内周仕切壁部及び前記内周壁部並びに前記記録ディスクによって前記環状空間が規定され、前記記録ディスクの前記片面に作用する前記環状空間内の圧力とその他面に作用する圧力との圧力差を利用して前記記録ディスクの振動を抑制することを特徴とする記録ディスク駆動装置。
【請求項４】
前記空間形成部材の前記内周壁部には、前記記録ディスクに接触する接触部材が設けられていることを特徴とする請求項３記載の記録ディスク駆動装置。
【請求項５】
前記空間形成部材の前記内周壁部及び前記内周仕切壁部の少なくとも一方の一部又は全体は、弾性部材から形成されていることを特徴とする請求項３記載の記録ディスク駆動装置。
【請求項６】
所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、前記モータ手段に装着された前記記録ディスクの片面と協働して第１の環状空間を規定するための第１の空間形成部材と、前記記録ディスクの他面と協働して第２の環状空間を規定するための第２の空間形成部材とが設けられ、
前記第１の空間形成部材及び前記第２の空間形成部材の少なくとも一方は前記記録ディスクの外周面と小さな間隙を介して対向し、前記第１の空間形成部材の内周壁部は、前記記録ディスクの前記片面の外周部に向けて延びることによって、前記第１の空間形成部材の前記内周壁部と前記記録ディスクとの間に前記第１の環状空間が形成され、また前記第２の空間形成部材の内周壁部は、前記モータ手段に装着された前記記録ディスクの前記他面の外周部に向けて延びることによって、前記第２の空間形成部材の前記内周壁部と前記記録ディスクとの間に前記第２の環状空間が形成され、
前記記録ディスクの前記片面に作用する前記第１の環状空間内の圧力と前記記録ディスクの前記他面に作用する前記第２の環状空間内の圧力との圧力差を利用して前記記録ディスクの振動を抑制することを特徴とする記録ディスク駆動装置。
【請求項７】
前記第１の空間形成部材及び前記第２の空間形成部材の少なくとも一方の前記記録ディスクの外周面と小さい間隙を介して対向する面によって、前記第１の環状空間及び第２の環状空間の少なくとも一方の径方向外方が規定されることを特徴とする請求項６記載の記録ディスク駆動装置。
【請求項８】
所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、
前記モータ手段に装着された前記記録ディスクの片面と協働して第１の環状空間を規定するための第１の空間形成部材と、前記記録ディスクの他面と協働して第２の環状空間を規定するための第２の空間形成部材とが設けられ、前記第１の空間形成部材の内周壁部は、前記モータ手段に装着された前記記録ディスクの前記片面の外周部に向けて延び、前記第１の空間形成部材の前記内周壁部と前記記録ディスクとの間に前記第１の環状空間が形成され、また前記第２の空間形成部材の内周壁部は、前記モータ手段に装着された前記記録ディスクの前記他面の外周部に向けて延び、前記第２の空間形成部材の前記内周壁部と前記記録ディスクとの間に前記第２の環状空間が形成され、前記第１及び第２の空間形成部材の一方又は双方には、前記モータ手段に装着された前記記録ディスクの外周面に対応して内周仕切壁部が設けられ、前記内周仕切壁部及び前記記録ディスクによって前記第１及び第２の環状空間が仕切られ、前記記録ディスクの前記片面に作用する前記第１の環状空間内の圧力と前記記録ディスクの前記他面に作用する前記第２の環状空間内の圧力との圧力差を利用して前記記録ディスクの振動を抑制することを特徴とする記録ディスク駆動装置。
【請求項９】
前記第１及び第２の空間形成部材の前記内周壁部の少なくも一方には、前記記録ディスクに接触する接触部材が設けられていることを特徴とする請求項８記載の記録ディスク駆動装置。
【請求項１０】
前記第１及び第２の空間形成部材の前記内周壁部並びに前記内周仕切壁部の少なくとも一つの一部又は全体は、弾性部材から形成されていることを特徴とする請求項８記載の記録ディスク駆動装置。
【発明の詳細な説明】
【０００１】
【発明の属する技術分野】
本発明は、記録ディスクを回転駆動する記録ディスク駆動装置に関する。
【０００２】
【従来の技術】
記録ディスクを回転駆動する駆動装置は、例えば図６に示すＣＤ−ＲＯＭ駆動装置がある。図６を参照して、公知の記録ディスク駆動装置は筐体２を備えている。筐体２はハウジング４と、このハウジング４の上面を覆うカバー部材６から構成され、この筐体２内に、ＣＤ−ＲＯＭ８を回転駆動するためのモータ手段１０と、ＣＤ−ＲＯＭ８に記録された情報を読出すための読出し手段（図示せず）が配設されている。ハウジング４の底壁１１には、制振部材１２を介してベース部材１４が装着され、このベース部材１４にモータ手段１０の非回転部材１６が取付けられている。非回転部材１６は、ベース部材１４に取付けられた取付部材１８と、この取付部材１８に装着された環状支持部材２０から構成されている。モータ手段１０は、更に、非回転部材１６に対して回転自在であるロータ２２を備え、ロータ２２は、カップ状のロータ本体２４と、このロータ本体２４に固定された回転軸２６を有している。ロータ２２の回転軸２６は、スリーブ軸受２８及びスラスト軸受片３０を介して環状支持部材２０に回転自在に支持されている。また、ロータ本体２４の内周面にはロータマグネット３２が装着され、このロータマグネット３２に対向してステータ３４が配設され、ステータ３４は環状支持部材２０の外周面に装着されている。
【０００３】
モータ手段１０の回転軸２６には、ターンテーブル３６が取付けられている。ターンテーブル３６は、回転軸２６に固定された本体部３８と、この本体部３８に設けられたフランジ部４０を有し、本体部３８に環状のクランプマグネット４２が取付けられている。このターンテーブル３６に関連して、クランプ部材４４が設けられている。クランプ部材４４は、ＣＤ−ＲＯＭ８をクランプするためのクランプ本体４６と、クランプ本体４６に装着された磁性プレート４８を有している。このクランプ部材４４は、アーム部材（図示せず）に係脱自在に装着され、ＣＤ−ＲＯＭ８をクランプするときにアーム部材から離脱する。
【０００４】
このような駆動装置では、クランプ部材４４が後退した位置にあるときに、ターンテーブル３６のフランジ部４０にＣＤ−ＲＯＭ８が載置される。その後、アーム部材（図示せず）が移動することによって、クランプ部材４４がターンテーブル３６上に位置付けられる。そして、アーム部材から離脱することによってクランプ部材４４がターンテーブル３６に装着され、磁性プレート４８がクランプマグネット４２に磁気的に吸着されることによって、載置されたＣＤ−ＲＯＭ８は、ターンテーブル３６のフランジ部４０とクランプ部材４４のクランプ本体４６との間にクランプされる。
【０００５】
【発明が解決しようとする課題】
例えば、記録ディスクとしてのＣＤ−ＲＯＭ等では、記録面とは反対側の面に様々な絵柄、文字等の印刷が施されている。このような印刷を施すと、印刷に使用するインクに起因してＣＤ−ＲＯＭ８に重量バランスの偏りが生じ、回転中におけるＣＤ−ＲＯＭ８の振動の原因となる。また、モータ手段１０の回転中にロータマグネット３２の磁界の乱れが生じる、或いはステータ３４への通電切換えタイミングとロータマグネット３２の回転タイミングとが相対的にずれると、これらによっても回転中におけるＣＤ−ＲＯＭ８の振動の原因となる。
【０００６】
近年、情報の書込み及び／又は読取りの高速化に伴い、ＣＤ−ＲＯＭ８の回転速度の高速化の傾向にある。このように回転速度が高速化すると、発生する振動も大きくなり、ＣＤ−ＲＯＭ８からの情報の読取りが困難となり、読取りエラーが発生し易くなる。また、このようなＣＤ−ＲＯＭ８を回転駆動する駆動装置では、記録ディスクとしてのＣＤ−ＲＯＭ８の交換が頻繁に行われるので、ターンテーブル３６の載置面の経年変化が起こり易く、ＣＤ−ＲＯＭ８を長期に渡って安定して支持することが困難であり、このことに起因してもＣＤ−ＲＯＭ８の振動が発生し易くなる。
【０００７】
このような回転中の記録ディスクの振動は、ＣＤ−ＲＯＭ８に限らず、その他の記録ディスク、例えばＣＤ、ＦＤ、ＭＯ、ＨＤ，ＤＶＤ等を回転駆動する駆動装置においても同様に存在する。
【０００８】
本発明の目的は、記録ディスクの記録面に対して垂直な方向の振動を効果的に抑えることができる記録ディスク駆動装置を提供することである。
【０００９】
本発明の他の目的は、記録ディスクの半径方向の振動をも効果的に抑えることができる記録ディスク駆動装置を提供することである。
【００１０】
【課題を解決するための手段】
本発明は、所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、前記モータ手段に装着された前記記録ディスクの片面と協働して環状空間を規定するための空間形成部材が設けられ、前記空間形成部材と前記記録ディスクの外周面とは小さい間隙を介して対向し、前記空間形成部材の内周壁部は前記記録ディスクの前記片面の外周部に向けて延びることによって、前記空間形成部材の前記内周壁部と前記記録ディスクとの間に前記環状空間が形成され、前記記録ディスクの前記片面に作用する前記環状空間内の圧力とその他面に作用する圧力との圧力差を利用して前記記録ディスクの振動を抑制することを特徴とする。
【００１１】
本発明に従えば、記録ディスクの片面と協働して環状空間を規定するための空間形成部材が設けられている。従って、記録ディスクが記録面に対して垂直な方向に振動し、その片面が環状空間に近接する方向に移動すると、環状空間内の空気の圧力が高くなり、記録ディスクの片面に作用する圧力によって、記録ディスクには環状空間から離れる方向の力が作用し、一方、その片面が環状空間から離隔する方向に移動すると、環状空間内の空気の圧力が低下し、記録ディスクの他面に作用する圧力によって、記録ディスクには環状空間に近接する方向の力が作用する。かくして、記録ディスクの片面と他面に作用する圧力の圧力差によって、記録ディスクには発生する振動を抑制する力が作用し、これによって記録ディスクの振動が効果的に抑えられる。
【００１３】
本発明に従えば、環状空間は記録ディスクの片面外周部と空間形成部材の内周壁部との間に形成されているので、環状空間からの圧力は記録ディスクの片面外周部に作用する。
【００１４】
また、本発明に従えば、前記空間形成部材には、前記モータ手段に装着された前記記録ディスクの外周面に対応して内周仕切壁部が設けられ、前記空間形成部材の前記内周仕切壁部及び前記内周壁部並びに前記記録ディスクによって前記環状空間が規定されることを特徴とする。
【００１５】
本発明に従えば、空間形成部材の内周仕切壁部が記録ディスクの外周面に対応して設けられているので、この内周仕切壁部と記録ディスクの外周面との間の空気流は記録ディスクを回転中心に対して同心状に保持するように作用し、これによって記録ディスクの半径方向の振動を効果的に抑えることができる。また、環状空間は空間形成部材の内周仕切壁部及び内周壁部と記録ディスクによって形成されるので、環状空間内外への空気の流れが抑えられ、記録ディスクの振動に伴う環状空間内の圧力変動を記録ディスクに有効に作用させることができる。
【００１６】
また、本発明は、前記空間形成部材の前記内周壁部には、前記記録ディスクに接触する接触部材が設けられていることを特徴とする。
【００１７】
本発明に従えば、空間形成部材の内周壁部に接触部材が設けられているので、この内周壁部と記録ディスクとの間の間隙をより有効にシールすることができる。この接触部材は、記録ディスクの回転に支障がないように低摩擦係数の材料が望ましく、例えば不織布があげられる。
【００１８】
また、本発明は、前記空間形成部材の前記内周壁部及び前記内周仕切壁部の少なくとも一方の一部が、弾性部材から形成されていることを特徴とする。
【００１９】
本発明に従えば、空間形成部材の内周壁部及び内周仕切壁部の少なくとも一方の一部又は全体が弾性部材から形成されているので、仮に、記録ディスクが接触しても記録ディスク及び空間形成部材の破損を防止することができる。
【００２０】
また、本発明は、所定方向に回転駆動するモータ手段と、前記モータ手段に装着される記録ディスクと、前記記録ディスクに情報を書込み及び／又は読出すための書込み及び／又は読出し手段とを具備する記録ディスク駆動装置において、前記モータ手段に装着された前記記録ディスクの片面と協働して第１の環状空間を規定するための第１の空間形成部材と、前記記録ディスクの他面と協働して第２の環状空間を規定するための第２の空間形成部材とが設けられ、前記第１の空間形成部材及び前記第２の空間形成部材の少なくとも一方は前記記録ディスクの外周面と小さな間隙を介して対向し、前記第１の空間形成部材の内周壁部は、前記記録ディスクの前記片面の外周部に向けて延びることによって、前記第１の空間形成部材の前記内周壁部と前記記録ディスクとの間に前記第１の環状空間が形成され、また前記第２の空間形成部材の内周壁部は、前記モータ手段に装着された前記記録ディスクの前記他面の外周部に向けて延びることによって、前記第２の空間形成部材の前記内周壁部と前記記録ディスクとの間に前記第２の環状空間が形成され、
前記記録ディスクの前記片面に作用する前記第１の環状空間内の圧力と前記記録ディスクの前記他面に作用する前記第２の環状空間内の圧力との圧力差を利用して前記記録ディスクの振動を抑制することを特徴とする。
【００２１】
本発明に従えば、記録ディスクの片面と協働して第１の環状空間を規定するための第１の空間形成部材と、記録ディスクの他面と協働して第２の環状空間を規定するための第２の空間形成部材とが設けられている。従って、記録ディスクが記録面に対して垂直な方向に振動し、その片面が第１の環状空間に近接する方向に移動すると、第１の環状空間内の空気の圧力が上昇する一方、第２の環状空間内の空気の圧力が低下し、第１及び第２の環状空間内の圧力差によって、記録ディスクには第１の環状空間から離れる方向の力が作用する。これに対し、記録ディスクの片面が第１の環状空間から離隔する方向に移動すると、第１の環状空間内の空気の圧力が低下する一方、第２の環状空間内の空気の圧力が上昇し、第１及び第２の環状空間内の圧力差によって、記録ディスクには第１の環状空間に近接する方向の力が作用する。このように、第１及び第２の環状空間内の圧力差によって、記録ディスクには発生する振動を抑制する力が作用し、これによって記録ディスクの振動が効果的に抑えられる。
【００２３】
本発明に従えば、第１の環状空間は記録ディスクの片面外周部と第１の空間形成部材の内周壁部との間に形成されているので、第１の環状空間からの圧力は記録ディスクの片面外周部に作用する。また、第２の環状空間は記録ディスクの他面外周部と第２の空間形成部材の内周壁部との間に形成されているので、第２の環状空間からの圧力は記録ディスクの他面外周部に作用する。
【００２４】
また、本発明は、前記第１及び第２の空間形成部材の一方又は双方には、前記モータ手段に装着された前記記録ディスクの外周面に対応して内周仕切壁部が設けられ、前記内周仕切壁部及び前記記録ディスクによって前記第１及び第２の環状空間が仕切られていることを特徴とする。
【００２５】
本発明に従えば、第１及び第２の空間形成部材の一方又は双方には、内周仕切壁部が記録ディスクの外周面に対応して設けられているので、この内周仕切壁部と記録ディスクの外周面との間に形成されるリング状の空間は、記録ディスクの半径方向の振動によりある部位では狭くなり、他のある部位では広くなる。このとき、間隔の狭い部位では空気が流れにくく、それ故に圧力が上昇するが、間隔の広い部位では、空気が流れ易く、それ故に圧力が低下するようになり、このような空気の流れが記録ディスクを回転中心に対して同心状に保持するように作用し、これによって記録ディスクの半径方向の振動を効果的に抑えることができる。また、この内周仕切壁部によって第１及び第２の環状空間が仕切られているので、第１の環状空間と第２の環状空間との間の空気の流れが抑えられ、記録ディスクの振動に伴う第１及び第２の環状空間内の圧力変動を記録ディスクに有効に作用させることができる。
【００２６】
また、本発明は、前記第１及び第２の空間形成部材の前記内周壁部の少なくも一方には、前記記録ディスクに接触する接触部材が設けられていることを特徴とする。
【００２７】
本発明に従えば、第１及び第２の空間形成部材の内周壁部の少なくとも一方には接触部材が設けられているので、この内周壁部と記録ディスクとの間の間隙をより有効にシールすることができる。この接触部材は、記録ディスクの回転に支障がないように低摩擦の材料が望ましく、例えば不織布があげられる。
【００２８】
更に、本発明は、前記第１及び第２の空間形成部材の前記内周壁部並びに前記内周仕切壁部の少なくとも一つの一部又は全体が、弾性部材から形成されていることを特徴とする。
【００２９】
本発明に従えば、第１及び第２の空間形成部材の内周壁部並びに内周仕切壁部の少なくとも一つの一部又は全体が弾性部材から形成されているので、仮に、記録ディスクが接触しても記録ディスク等の破損を防止することができる。
【００３０】
【発明の実施の形態】
以下、図１〜図５を参照して、本発明に従う記録ディスク駆動装置の実施形態について説明する。なお、記録ディスク駆動装置としてＣＤ−ＲＯＭ駆動装置を例に説明する。
【００３１】
第１の実施形態
まず、図１〜図３を参照して、本発明に従う記録ディスク駆動装置の第１の実施形態を説明する。図１は、本発明に従う記録ディスク駆動装置の第１の実施形態を簡略的に示す断面図であり、図２は、図１の記録ディスク駆動装置における第１及び第２の空間形成部材を示す斜視図であり、図３は、第１及び第２の環状空間並びにそれに関連する構成を示す部分拡大断面図である。
【００３２】
図１において、図示の記録ディスク駆動装置は、例えば、パーソナルコンピュータのコンピュータ本体（図示せず）に装着される筐体１０２を備えている。この筐体１０２はハウジング１０４を備え、このハウジング１０４は矩形状の底壁１０６と、底壁１０６から上方に延びる４側壁１０８を有し、その上面は解放されている。ハウジング１０４の上面にはカバー部材１１０が取付けられ、このカバー部材１１０によってハウジング１０４の上面が覆われている。また、ハウジング１０４の底壁１０６の４角部には脚部１１２（図１において２個示す）が設けられている。
【００３３】
この筐体１０２内には、モータ手段１１４が配設されている。この形態では、ハウジング１０４の底壁１０６には、複数個の制振部材１１６を介してベース部材１１８が装着され、取付ねじ１２０を制振部材１１６を通して底壁１０６に螺着することによってベース部材１１８が固定されている。ベース部材１１８の所定部位には、取付られるモータ手段１１４に関連して、円形状の開口が形成されている。
【００３４】
モータ手段１１４は、非回転部材１２２と、この非回転部材１２２に対して回転自在であるロータ１２４とを有している。非回転部材１２２は、略円形状の取付部材１２６と、この取付部材１２６に装着された環状支持部材１２８から構成され、環状支持部材１２８は取付部材１２６から実質上垂直上方に延びている。また、ロータ１２４はカップ状のロータ本体１３０と、このロータ本体１３０の端壁１３２に固定された回転軸１３４を有している。
【００３５】
ロータ１２４の回転軸１３４は、次の通りにして回転自在に支持されている。この形態では、環状支持部材１２８の内周面には含油軸受の如きスリーブ軸受１３６が装着され、このスリーブ軸受１３６の内周面に回転軸１３４の外周面が回転自在に支持されている。また、環状支持部材１２８の下端部には閉塞部材１３８が装着され、この閉塞部材１３８の内側にスラスト軸受片１４０が配設され、スラスト軸受片１４０に回転軸１３４の一端部（下端部）が回転自在に支持されている。従って、スリーブ軸受１３６は、ロータ１２４に作用するラジアル荷重を支持し、スラスト軸受片１４０は、ロータ１２４に作用するスラスト荷重を支持する。
【００３６】
ロータ本体１３０の周側壁１４２の内周面にはロータマグネット１４４が装着され、このロータマグネット１４４に対向してステータ１４６が配設されている。ステータ１４６は、コアプレートを積層することによって形成されるステータコア１４８と、ステータコア１４８に巻かれたコイル１５０とを有し、ステータコア１４８が環状支持部材１２８の外周面に取付けられている。かく構成されているので、コイル１５０に駆動電流が送給されると、ステータコア１４８が所要の通りに磁化され、ステータコア１４８とロータマグネット１４４との相互磁気作用によってロータ１２４が所定方向に回転駆動される。
【００３７】
モータ手段１１４の回転軸１３４には、ターンテーブル１５２が取付けられている。ターンテーブル１５２は短円筒状の本体部１５４を有し、この本体部１５４には半径方向外方に突出するフランジ部１５６が一体的に設けられている。回転軸１３４はロータ本体１３０の端壁１３２を貫通して上方に突出しており、この突出端部にターンテーブル１５２の本体部１５４が、例えば圧入により固定されている。この本体部１５４の上面にはリング状の凹部が形成され、この凹部にクランプマグネット１５８が収容されている。また、本体部１５４の上端部は、記録ディスク１６０の装着が容易となるように、先端に向けてその外径が漸減されており、ターンテーブル１５２に装着された記録ディスク１６０は、その本体部１５４によってセンタリングされてフランジ部１５６に載置される。
【００３８】
ターンテーブル１５２に関連して、クランプ部材１６２が設けられている。クランプ部材１６２は、例えばＣＤ−ＲＯＭである記録ディスク１６０をクランプするためのクランプ本体１６４を有し、このクランプ本体１６４の中央部には、ターンテーブル１５２のクランプマグネット１５８に対応して、例えば鉄プレートでよい磁性プレート１６６が設けられている。クランプ本体１６４の下部外周部には環状押圧部１６８が設けられ、この押圧部１６８は、ターンテーブル１５２に記録ディスク１６０が載置されると、載置された記録ディスク１６０の内周部に作用する。
【００３９】
このクランプ部材１６２は、図示していないが、クランプ位置と、このクランプ位置から後退する後退位置との間を移動自在であるアーム部材（図示せず）に係脱自在に装着される。通常、クランプ部材１６２はアーム部材（図示せず）に保持され、クランプ部材１６２を保持した状態でアーム部材は上記後退位置に位置している。この後退位置においては、クランプ部材１６２はターンテーブル１５２の上方から離れ、記録ディスク１６０のターンテーブル１５２への載置が許容される。一方、ターンテーブル１５２に記録ディスク１６０を載置すると、このアーム部材（図示せず）は上記後退位置から上記クランプ位置に移動し、クランプ部材１６２は、ターンテーブル１５２の上方に位置する。かくすると、クランプ部材１６２はアーム部材から外れてターンテーブル１５２に装着され、磁性プレート１６６がクランプマグネット１５８に磁気的に吸着され、かくして記録ディスク１６０の内周部はターンテーブル１５２のフランジ部１５６とクランプ部材１６２の押圧部１６８との間にクランプされる。なお、記録ディスク１６０を外すときには、アーム部材（図示せず）によってクランプ部材１６２がターンテーブル１５２から離脱され、その後このアーム部材が上記後退位置に位置付けられ、これによって記録ディスク１６０のターンテーブル１５２からの離脱が許容される。
【００４０】
ベース部材１１８には、図示していないが、記録ディスク１６０に書込まれた情報を読出すための読取り手段が設けられている。読取り手段は、例えば半導体レーザを有する読取りヘッドから構成され、かかる読取りヘッドによって記録ディスク１６０から書込まれた情報が読出される。なお、記録ディスク１６０として書込み及び／又は読出し可能なものを用いる場合、この読取り手段に代えて、記録ディスクに情報を書込み及び／又は読出すための書込み及び／又は読出し手段が装備される。
【００４１】
この記録ディスク駆動装置では、ターンテーブル１５２に保持された記録ディスク１６０の振動を抑えるために、更に次の通りに構成されている。図１とともに図２及び図３を参照して、この第１の実施形態では、第１の環状空間１７２（図３）を規定するための第１の空間形成部材１７４と、第２の環状空間１７６（図３）を規定するための第２の空間形成部材１７８とが設けられている。第２の空間形成部材１７８は、リング状の第２の空間形成本体１８０を有し、この空間形成本体１８０には、周方向に間隔を置いて４つの支持脚部１８２が設けられ（図２参照）、これら支持脚部１８２が取付ねじ１８５によってベース部材１１８に取付けられている。この第２の空間形成部材１７８の空間形成本体１８０の内周部には半径方向内方に、ターンテーブル１５２に載置された記録ディスク１６０の外周部に向けて延びる内周壁部１８４が設けられ、空間形成本体１８０と内周壁部１８４との間にリング状の凹部１８５が形成されている。また、第１の空間形成部材１７４はリング状の第１の空間形成本体１８６を有し、この第１の空間形成本体１８６の内周部には、ターンテーブル１５２に載置された記録ディスク１６０の外周部に向けて延びる内周壁部１８８が設けられ、第１の空間形成本体１８６と内周壁部１８８との間にリング状の凹部１８９が形成されている。
【００４２】
この実施形態では、更に、第２の空間形成本体１８０の上面には、環状のマグネット１９０が設けられ、また第１の空間形成本体１８６の下面には、上記マグネット１９０に対応して磁性プレート１９２が設けられ、上記磁性プレート１９２がマグネット１９０に磁気的に吸着されることによって、第１の空間形成部材１７４が第２の空間形成部材１７８に着脱自在に装着される。なお、上記マグネット１９０は、第２の空間形成本体１８０に周方向に間隔を置いて複数個設けるようにしてもよい。また、上述した構成に代えて、第２の空間形成本体１８０に磁性プレートを設けるとともに、第１の空間形成本体１８６にマグネットを設けるようにしてもよく、これらに代えて、第１及び第２の空間形成本体１８６，１８０の双方にマグネットを設けるようにしてもよい。また、第１の空間形成部材１７４を磁性材料から形成した場合、磁性プレート１９２を省略することもできる。
【００４３】
第１の空間形成部材１７４は、図示していないが、クランプ部材１５２と略同様に、上述したアーム部材（図示せず）に係脱自在に保持される。上記アーム部材が上記後退位置にあるとき、第１の空間形成部材１７４は第２の空間形成部材１７８の上方から後退し、記録ディスク１６０のターンテーブル１５２への装着、ターンテーブル１５２からの離脱が許容される。また、アーム部材（図示せず）がクランプ位置に位置すると、これに保持された第１の空間形成部材１７４は第２の空間形成部材１７８の上方に位置し、アーム部材から離脱されることによって、第１の空間形成部材１７４の磁性プレート１９２が第２の空間形成部材１７８のマグネット１９０に磁気的に吸着され、これによって第１の空間形成部材１７４が第２の空間形成部材１７８に着脱自在に取付けられる。
【００４４】
かかる取付状態においては、図３に示すとおり、第１の空間形成部材１７４の内周壁部１８８は、載置された記録ディスク１６０の片面（図１及び図３において上面）に向けて延び、第１の空間形成本体１８６、内周壁部１８８及び記録ディスク１６０の片面によって、記録ディスク１６０の片側にて第１の環状空間１７２が規定される。また、第２の空間形成部材１８０の内周壁部１８４は、載置された記録ディスク１６０の他面（図１及び図３において下面）に向けて延び、第２の空間形成本体１８０、内周壁部１８４及び記録ディスク１６０の他面によって、記録ディスク１６０の他側にて第２の環状空間１７６が規定される。
【００４５】
この実施形態では、更に、第２の空間形成本体１８０の内周部に、半径方向内方に突出する内周仕切壁部１９６が一体的に設けられている。この内周仕切壁部１９６は、載置された記録ディスク１６０の外周面に対向して設けられる。このように内周仕切壁部１９６を設けることによって、第１の環状空間１７２と第２の環状空間１７４とがこの内周仕切壁部１９６及び記録ディスク１６０によって仕切られ、両環状空間１７２，１７４間の空気の流れが抑えられる。なお、この形態では、内周仕切壁部１９６を第２の空間形成部材１７８に設けているが、これに代えて、又はこれと共に第１の空間形成部材１７４に設けてもよい。
【００４６】
クランプ部材１６２によって記録ディスク１６０をターンテーブル１５２にクランプするとともに、第１の空間形成部材１７４を第２の空間形成部材１７８に装着した状態において、上述したようにしてロータ１２４が所定方向に回転駆動されると、このロータ１２４の回転とともに、ターンテーブル１５２、クランプ部材１６２及び記録ディスク１６０も一体的に回転する。そして、この回転中に記録ディスク１６０の外周部が例えば半径方向に対して垂直な方向、即ち図１及び図３において上下方向に振動すると、この上下方向の振動は、次の通りにして抑制される。記録ディスク６０の外周部が上記上下方向上方（又は下方）に振動すると、上方（又は下方）に変位した記録ディスク１６０によって、第１の環状空間１７２の容積が小さく（又は大きく）なってその内部の空気の圧力が増大（又は減少）する一方、第２の環状空間１７６の容積が大きく（又は小さく）なってその内部の空気の圧力が減少（又は増大）し、これによって、記録ディスク１６０の外周部には第１及び第２の環状空間１７２，１７４の圧力差に起因して下方（又は上方）に戻す力が作用する。それ故に、第１及び第２の環状空間１７２，１７６内の空気がいわゆるダンパとして作用し、これによって記録ディスク１６０に発生した振動が効果的に抑えられる。この記録ディスク１６０の振動を抑えるには、容易に理解される如く、第１の空間形成部材１７４の内周壁部１８８と記録ディスク１６０の片面との間隙をより小さくし、また第２の空間形成部材１７８の内周壁部１８４と記録ディスク１６０との間隙をより小さくするのが望ましい。なお、これら間隙を必要以上に小さくすると、記録ディスク１６０の振動によってその外周部が第１及び／又は第２の空間形成部材１７４，１７８の内周壁部１８８，１８４に接触するおそれがあり、上記内周壁部１８４，１８８、記録ディスク１６０の破損の原因となる。
【００４７】
また、この回転中に記録ディスク１６０に半径方向に振動が発生すると、この半径方向の振動も抑制される。即ち、記録ディスク１６０が半径方向片側（又は他側）、例えば図１及び図３において左方（又は右方）に振動すると、記録ディスク１６０の上記片側（又は上記他側）において、記録ディスク１６０と第２の空間形成部材１７８の内周仕切壁部１９６との間隙が小さく（又は大きく）なってこの間隙の空気流の圧力が増大（又は減少）する一方、その他側（又は片側）において、記録ディスク１６０と上記内周仕切壁部１９６との間隙が大きく（又は小さく）なってこの間隙の空気流の圧力が減少（又は増大）し、これによって、記録ディスク１６０の外周面には空気流の圧力差に起因して図１及び図３において右方（又は左方）に戻す力が作用する。それ故に、記録ディスク１６０と内周仕切壁部１９６との間隙の空気流がいわゆるダンパとして作用し、これによって記録ディスク１６０に発生した半径方向の振動が効果的に抑えられ、記録ディスク１６０は回転中心を中心とした同心状に保持される。この記録ディスク１６０の半径方向の振動を抑えるには、容易に理解される如く、第２の空間形成部材１７８の内周仕切壁部１９６と記録ディスク１６０の外周面との間隙をより小さくするのが望ましい。なお、この間隙を必要以上に小さくすると、記録ディスク１６０の半径方向の振動によってその外周面が内周仕切壁部１９６にに接触するおそれがあり、上記内周仕切壁部１９６、記録ディスク１６０の破損の原因となる。
【００４８】
この駆動装置では、また、第１及び第２の空間形成部材１７４，１７８が記録ディスク１６０の外周部を覆っているので、回転する記録ディスク１６０の外周縁によって発生する風切り音の漏れが少なく、回転中の騒音も低減される。
【００４９】
上述した実施形態では、特に設けていないが、第１（及び／又は第２）の環状空間１７２（及び／又は１７６）内の空気の外部への漏れを少なくしてよりダンパ作用を高めるために、第１（及び／又は第２）の空間形成部材１７４（及び／又は１７８）の内周壁部１８８（及び／又は１８４）に、記録ディスク１６０の表面に接触する接触部材を設けることができ、この接触部材として例えば不織布等の低摩擦係数の材料を用いることができる。また、このような接触部材は、第１の環状空間１７２と第２の環状空間１７６との間の空気の流れを一層少なくするために、記録ディスク１６０の外周面に接触するように内周仕切壁部１９６に設けることもできる。
【００５０】
また、記録ディスク１６０の接触による破損等を防止するためには、第１（及び／又は第２）の空間形成部材１７４の内周壁部１８８（及び／又は１８４）の一部又は全体をゴム等の柔軟な弾性材料から形成するのが望ましい。また、内周仕切壁部１９６への接触が問題となる場合には、この内周仕切壁部１９６の一部又は全体を柔軟な弾性部材から形成するのが望ましい。
【００５１】
また、上述した実施形態では、特に設けていないが、必要に応じて、第１（及び／又は第２）の環状空間１７２（及び／又は１７６）に周方向に間隔を置いて仕切壁部を設けることもできる。このように環状空間１７２（及び／又は１７６）を複数に仕切ることによって、記録ディスク１６０の周方向の部分的な振動を効果的に抑制することができる。
【００５２】
第２の実施形態
次に、図４及び図５を参照して、本発明に従う記録ディスク駆動装置の第２の実施形態を説明する。図４は、本発明に従う記録ディスク駆動装置の第２の実施形態を簡略的に示す断面図であり、図５は、図４の記録ディスク駆動装置における環状空間及びそれに関連する構成を示す部分拡大断面図である。なお、第２の実施形態において、第１の実施形態と実質上同一の部材には同一の番号を付し、その説明を省略する。
【００５３】
図４及び図５を参照して、この第２の実施形態では、記録ディスク１６０の振動を抑制するための構造に修正が施され、その構成の簡略化が図られている。更に説明すると、環状空間２０２は、空間形成部材２０４によって記録ディスク１６０の片側に形成されている。空間形成部材２０４はリング状の空間形成本体２０６を有し、この空間形成本体２０６には、周方向に間隔を置いて複数個（この形態では４個）の支持脚部２０８が設けられている。これら支持脚部２０８の下端面には磁性プレート２１０が設けられている。一方、ベース部材１１８の所定部位には、各支持脚部２０８の磁性プレート２１０に対応して取付用マグネット２１２が設けられている。かく構成されているので、空間形成部材２０４は、磁性プレート２１０が対応する取付用マグネット２１２に磁気的に吸着されることによって、ベース部材１１８に着脱自在に装着される。なお、この空間形成部材２０４は、第１の実施形態と同様に、クランプ位置と後退位置との間を移動自在であるアーム部材（図示せず）に係脱自在に装着され、クランプ部材１６２がターンテーブル１５２に装着された後、アーム部材から離脱してベース部材１１８に装着される。なお、記録ディスク１６０をターンテーブル１５２上から着脱し、筐体１０２の内部から取外す場合、空間形成部材２０４をベース部材１１８から離脱することで、記録ディスク１６０を支持脚部２０８間から所定位置（ターンテーブル１５２上、又は筐体１０２外）に移動させることができる。
【００５４】
空間形成部材２０４の空間形成本体２０６の内周部には半径方向内方に、ターンテーブル１５２に載置された記録ディスク１６０の外周部に向けて延びる内周壁部２１４が設けられ、空間形成本体２０６と内周壁部２１４との間にリング状の凹部２１６が形成されている。従って、第１の実施形態と同様に、ターンテーブル１５２に記録ディスク１６０がクランプされた後、空間形成部材２０４がベース部材１１８に装着されると、図５に示すとおり、空間形成部材２０４の内周壁部２１４は、載置された記録ディスク１６０の片面（図４及び図５において上面）に向けて延び、空間形成本体２０６、内周壁部２１４及び記録ディスク１６０によって、記録ディスク１６０の片側にて環状空間２０２が規定される。
【００５５】
第２の実施形態では、更に、空間形成本体２０６の内周部に、半径方向内方に突出する内周仕切壁部２１８が一体的に設けられている。この内周仕切壁部２１８は、載置された記録ディスク１６０の外周面に対向して設けられる。このように内周仕切壁部２１８を設けることによって、空間形成本体２０６と記録ディスク１６０の外周面との間隙が小さくなり、かかる間隙を通しての空気の流れが抑えられる。
【００５６】
この第２の実施形態において、回転中に記録ディスク１６０に振動が発生すると、発生した振動は、第１の実施形態と略同様にして抑制される。例えば、記録ディスク１６０の外周部が上下方向（半径方向に対して垂直な方向）上方（又は下方）に振動すると、上方（又は下方）に変位した記録ディスク１６０によって、環状空間２０２内の空気の圧力が増大（又は減少）する。このとき、記録ディスク１６０の他面に作用する空気の圧力は実質上変動せず、記録ディスク１６０の両面に作用する圧力差にに起因して下方（又は上方）に戻す力が作用する。それ故に、環状空間２０２内の空気がいわゆるダンパとして作用し、これによって記録ディスク１６０に発生した振動が効果的に抑えられる。なお、上述した記載から理解される通り、第２の実施形態では記録ディスク１６０に面する環状空間が一つであるので、半径方向に対して垂直な方向における振動抑制効果は、第１の実施形態に比して小さくなる。
【００５７】
また、この回転中に記録ディスク１６０に半径方向に振動が発生して例えば図４及び図５において左方（又は右方）に移動すると、記録ディスク１６０の上記片側（又は上記他側）において、記録ディスク１６０と空間形成部材２０４の内周仕切壁部２１８との間隙が小さく（又は大きく）なってこの間隙の空気流の圧力が増大（又は減少）する一方、その他側（又は片側）において、記録ディスク１６０と上記内周仕切壁部２１８との間隙が大きく（又は小さく）なってこの間隙の空気流の圧力が減少（又は増大）する。それ故に、第１の実施形態と同様に、記録ディスク１６０の外周面には空気流の圧力差に起因して図４及び図５において右方（又は左方）に戻す力が作用し、これによって記録ディスク１６０に発生した半径方向の振動が効果的に抑えられる。かくの通りであるので、この第２の実施形態においても、上述した第１の実施形態と同様の効果が達成される。
【００５８】
この第２の実施形態においては、記録ディスク１６０の片面側に環状空間２０２を形成するようにしているが、これとは反対に、記録ディスク１６０の他面側に環状空間を形成するようにすることもできる。
【００５９】
またこの第２の実施形態においても、必要に応じて、空間形成部材２０４の内周壁部２１４及び／又は内周仕切壁部２１８に、記録ディスク１６０に接触する接触部材を設けてもよい。また、記録ディスク１６０の接触による破損を防止するために、内周壁部２１４及び／又は内周仕切壁部２１８の一部又は全体を柔軟な弾性部材から形成してもよい。
以上、本発明に従う記録ディスク駆動装置の実施形態について説明したが、本発明はかかる実施形態に限定されるものではなく、本発明の範囲を逸脱することなく種々の変形乃至修正が可能である。
【００６０】
例えば、図示の実施形態では、記録ディスクとしてＣＤ−ＲＯＭを用いるものに適用して説明したが、これに限定されず、記録ディスクとしてＣＤ、ＦＤ、ＭＯ、ＭＤ、ＤＶＤ等を用いるものにも同様に適用することができ、更に記録ディスクとしてＨＤを用いるもの、換言すると、記録ディスクをモータ手段に固定的に取付けるものにも適用することができる。
【００６１】
【発明の効果】
本発明の請求項１の記録ディスク駆動装置によれば、記録ディスクの片面と他面に作用する圧力差によって、振動を抑制する力が記録ディスクに作用し、これによって記録ディスクの振動を効果的に抑えることができる。
【００６２】
また、本発明の請求項１の記録ディスク駆動装置によれば、環状空間は記録ディスクの片面外周部と空間形成部材の内周壁部との間に形成されているので、環状空間からの圧力は記録ディスクの片面外周部に作用する。
【００６３】
また、本発明の請求項３の記録ディスク駆動装置によれば、空間形成部材の内周仕切壁部が記録ディスクの外周面に対応して設けられているので、記録ディスクの半径方向の振動を効果的に抑えることができる。また、環状空間内外への空気の流れが抑えられ、記録ディスクの振動に伴う環状空間内の圧力変動を記録ディスクに有効に作用させることができる。
【００６４】
また、本発明の請求項４又は９の記録ディスク駆動装置によれば、接触部材によって内周壁部と記録ディスクとの間の間隙をより有効にシールすることができる。
【００６５】
また、本発明の請求項５又は１０の記録ディスク駆動装置によれば、記録ディスクが接触しても記録ディスク及び空間形成部材の破損を防止することができる。
【００６６】
また、本発明の請求項６の記録ディスク駆動装置によれば、第１及び第２の環状空間内の圧力差によって、振動を抑制する力が記録ディスク作用し、これによって記録ディスクの振動を効果的に抑えることができる。
【００６７】
また、本発明の請求項６の記録ディスク駆動装置によれば、第１の環状空間からの圧力は記録ディスクの片面外周部に作用し、第２の環状空間からの圧力は記録ディスクの他面外周部に作用する。
【００６８】
更に、本発明の請求項８の記録ディスク駆動装置によれば、記録ディスクの半径方向の振動を効果的に抑えることができる。また、第１の環状空間と第２の環状空間との間の空気の流れが抑えられ、記録ディスクの振動に伴う第１及び第２の環状空間内の圧力変動を記録ディスクに有効に作用させることができる。
【図面の簡単な説明】
【図１】図１は、本発明に従う記録ディスク駆動装置の第１の実施形態を簡略的に示す断面図である。
【図２】図２は、図１の記録ディスク駆動装置における第１及び第２の空間形成部材を示す斜視図である。
【図３】図３は、図１の記録ディスク駆動装置の第１及び第２の環状空間並びにそれに関連する構成を示す部分拡大断面図である。
【図４】図４は、本発明に従う記録ディスク駆動装置の第２の実施形態を簡略的に示す断面図である。
【図５】図５は、図４の記録ディスク駆動装置の環状空間並びにそれに関連する構成を示す部分拡大断面図である。
【図６】図６は、従来の記録ディスク駆動装置を簡略的に示す断面図である。
【符号の説明】
１０２  筐体
１０４  ハウジング
１１４  モータ手段
１１８  ベース部材
１２２  静止部材
１２４  ロータ
１３４  回転軸
１４４  ロータマグネット
１４６  ステータ
１５２  ターンテーブル
１５８  クランプマグネット
１６０  記録ディスク
１６２  クランプ部材
１７２  第１の環状空間
１７４  第１の空間形成部材
１７６  第２の環状空間
１７８  第２の空間形成部材
１８４，１８８，２１４  内周壁部
１９６，２１８  内周仕切壁部
２０２  環状空間
２０４  空間形成部材
【図１】
0004056134.tif 000002
【図２】
0004056134.tif 000003
【図３】
0004056134.tif 000004
【図４】
0004056134.tif 000005
【図５】
0004056134.tif 000006
【図６】
0004056134.tif 000007